(57)【要約】【課題】プリント基板に取り付けた発光ダイオードが、上下・左右いずれの方向からも視認できる照明体を提供すること。【解決手段】帯状のプリント基板の長手方向中央に多数の通孔を等間隔に列設し、通孔に発光ダイオードを取り付ける。プリント基板の片面に発光ダイオードのリードを接続してハンダ付けし、前記取り付けられた発光ダイオードが、プリント基板の両側に均一に突出して上下・左右いずれの方向からも視認できる。【選択図】          図１
2004311380.tif 000002
【特許請求の範囲】
【請求項１】
帯状のプリント基板の長手方向中央に多数の通孔を等間隔に列設し、通孔に発光ダイオードを取り付けた発光ダイオード照明体であって、プリント基板の片面に発光ダイオードのリードを接続してハンダ付けし、前記取り付けられた発光ダイオードが、プリント基板の両側に均一に突出して上下・左右いずれの方向からも視認可能となることを特徴とする発光ダイオード照明体。
【請求項２】
発光ダイオードを取り付けたプリント基板を、透明・半透明等のパイプ内に装入してなる請求項１に記載の発光ダイオード照明体。
【請求項３】
パイプが弓形・Ｕ字形等の屈曲形状である請求項２に記載の発光ダイオード照明体。
【発明の詳細な説明】
【０００１】
【発明の属する技術分野】
本考案は、プリント基板に発光ダイオードを取り付けた発光ダイオード照明体に関する。
【０００２】
【従来の技術】
多数の発光ダイオードを帯状板に取り付けて照明体としたものは従来から種々提案されている（例えば特開２００１−２４２３３号公報、及び特開２００１−３０６００２号公報参照）。このうち前者は、複数のチップ型発光ダイオードをダイシングテープに貼り付けた半導体チップに係わる技術であり、また後者は、２本の導線の間に複数の発光ダイオードを並列に取り付け、その外側に帯状の透明ビニールを被覆して導線が絡むことのないようにした技術である。
【０００３】
【発明が解決しようとする課題】
前者の従来技術は、ダイシングテープの片側に発光ダイオードを貼り付けた構造であるから、当然ながらダイシングテープ側からは発光ダイオードが視認されず、したがって照明体としての取り付け個所，使用範囲もおのずから限定される不具合があり、また後者の技術は、２本の導線が透明ビニールを透して目視されるため体裁が悪く、取り付けられた発光ダイオードは片側に発光面を有するタイプであるから両側から見えるようにするには透明ビニールを半回転ひねる必要がある。この技術によってもせいぜい両側の２面から照明が視認されるにすぎず、況や帯状のプリント基板に発光ダイオードを取り付けて複数方向から光線が視認でき情報伝達を広範囲に及ぼすことのできる照明体とすることは考慮外のこととされているのが実情である。
【０００４】
本発明はこのような現状に鑑みて、帯状のプリント基板に発光ダイオードを取り付け、上下・左右いずれの方向からも照明が視認される構成とすることで広範囲の者が情報を読み取ることができ且つ随所に設置でき、体裁佳良で多目的利用に好適する発光ダイオード照明体を提供することを目的としている。
【０００５】
【課題を解決するための手段】
上記目的を達成するために本発明は、帯状のプリント基板１の長手方向中央に多数の通孔２を等間隔に列設し、通孔２に発光ダイオード３を取り付けた発光ダイオード照明体であって、プリント基板１の片面に発光ダイオード３のリードを接続してハンダ付けｓし、前記取り付けられた発光ダイオード３が、プリント基板１の両側に均一に突出して上下・左右いずれの方向からも視認可能となることを技術手段とする。
【０００６】
上記の発光ダイオード３を取り付けたプリント基板１を、透明・半透明等のパイプ６内に装入することで全体がカバーされ、また光輝色が一層発揮される。
【０００７】
パイプ６を弓形・波形・Ｕ字形等の屈曲形状とすることで多目的に利用できる照明体とすることができる。
【０００８】
【発明の実施の形態】
図は本発明実施の一例であって、図１（ａ）に示すように、幅１０ｍｍ程度とした帯状のプリント基板１は、長手方向中央に横矩形状の多数の通孔２を等間隔に列設している。プリント基板１は厚みが１ｍｍ以下の薄形で屈曲可能素材であり、帯状のため適宜位置で切断して使用することができる。
【０００９】
（ｂ）は、基部４を鍔状としたシリンダー形の発光ダイオード３を示したもので、基部４の外径は前記プリント基板１の通孔２の内側に密接する大きさを有し全体の長さはプリント基板１の通孔２の横幅にほゞ匹敵する。発光ダイオード３はシリンダー形以外にも角形・弾丸形状などその形状に特に限定はないが、左右・上下から見て対称形であることが好ましい。
【００１０】
図２（ａ）〜（ｃ）はプリント基板１に発光ダイオード３を取り付けた例を示したもので、発光ダイオード３の上下面の中央がプリント基板１の通孔２にバランス良くフィットし、また発光ダイオード３の前後端が通孔２の前後端に密着するとともに平面及び側面から見て発光ダイオード３がプリント基板１の左右両側に均一に突出する。発光ダイオード３のリード５はプリント基板１の片面にハンダ付けｓされ、リード５の固定で発光ダイオード３は通孔２内にあって不動状となる。なおプリント基板１に取り付けられる発光ダイオード３は、図示のように全ての通孔２内に配置するだけでなく、とびとび或いは要所要所に配置する構成としてもよい。
【００１１】
上記のように発光ダイオード３を取り付けたプリント基板１は、図３のように合成樹脂からなる透明のパイプ６の中に装入することが好ましい形態となる。こうすることでプリント基板１も発光ダイオード３もパイプ６によって保護されるとともに発光ダイオード３からの光はいたずらに拡散することなくパイプ内壁に反射して光輝色が一層発揮される。
【００１２】
プリント基板１は薄形で屈曲可能なため、パイプ６を直線状だけでなく、弓状・Ｕ字形などに形成してその中に装入することもできる。パイプ６に順応して屈曲状となった発光ダイオード３は多目的利用が可能となり、使用範囲の拡大が図られる。なおパイプ６は半透明或いは薄い着色を施したものでもよく、用途によっては図示の円形だけでなく、断面角形のものなど任意に選択して使用する。
【００１３】
【発明の効果】
本発明はプリント基板に通孔を形成し、その中に発光ダイオードを入れ、リードをハンダ付けで取り付けた頗るシンプルな構成であるから複雑な工程を要さずに製造できる。そして発光ダイオードはプリント基板の左右に均等に突出するので、左右いずれの側から見ても発光ダイオードの光が認められ、また上面及び下面からも、プリント基板の左右に突出した発光ダイオードが十分に視認でき、したがってほゞ全方位からの光線が平等に確認できて正しく情報が伝達できる。
【００１４】
プリント基板を用いるため導線を必要とせず、その分すっきりとしたデザインで美麗に仕上がり、左右に突出した発光ダイオードが対称形でバランス良く目視されるため装飾効果を遺憾なく発揮できる。
【００１５】
透明ケースや装置内に設置できることは勿論、発光ダイオードを取り付けたプリント基板をパイプ内に配置すると、パイプ内壁に光が反射してプリント基板にも光輝色が反映し、全体の光輝度がアップして広範囲な装飾用に供せられる。特に透明・半透明のパイプを使用することで鮮明さが増大する。
【００１６】
パイプを屈曲状とすることで立体状の照明体とすることができ、各種オブジェ・展示物への応用、宣伝広告等の媒体としてのアピール効果が所期される。
【図面の簡単な説明】
【図１】（ａ）は本発明に使用するプリント基板の斜視図、（ｂ）は発光ダイオードの正面図である。
【図２】（ａ）はプリント基板に発光ダイオードを取り付けた正面図、（ｂ）はその平面図、（ｃ）は側面図である。
【図３】（ａ）は透明のパイプ内に照明体を装入した平面図、（ｂ）及び（ｃ）はパイプの他の例を示す正面図である。
【符号の説明】
１  プリント基板
２  通孔
３  発光ダイオード
４  基部
５  リード
ｓ  ハンダ付け
６  パイプ
【図１】
2004311380.tif 000003
【図２】
2004311380.tif 000004
【図３】
2004311380.tif 000005